(57)【要約】  【課題】  本発明は、コンピューターに接続することが必要しなく、直接にデータをアンロードできる、マルチカードデータアンロード装置を提供する。  【解決手段】  本発明は、各ユニット間の作動を制御かつ処理する、二つのマルチカードインターフェースを介して、二つのスロットに接続され、二つのスロットにより電気的に二つのメモリーカードに接続され、当該二つのメモリーカードに対して、リードライトのデータアンロード動作を実行する、マイクロプロセッサーと、マイクロプロセッサーに接続され、ユーザ操作インターフェースを提供する、ボタンモジュールと、作動に必要とする電力を提供する、電源供給器と、を有するマルチカードデータアンロード装置を提供する。本発明は、異なるメモリーカードにあるデータを、直接に交換やバックアップでき、データの快速統合や操作の簡単及びデータ管理の利便等の効果が実現できる。【選択図】図1
2005100329.tif 000002
【特許請求の範囲】
【請求項１】
各ユニット間の作動を制御して処理する、マイクロプロセッサーと、
二つのマルチカードインターフェースが設けられ、各マルチカードインターフェースが、当該マイクロプロセッサーと接続されることにより、メモリーカードと電気的に接続され、当該マイクロプロセッサーが、各種類のフォーマットメモリーカードへのリードライト命令を受信し、当該メモリーカードに対して、リードライトする、少なくとも二つのスロットと、
当該マイクロプロセッサーに接続され、ユーザ操作インターフェースを提供する、ボタンモジュールと、
上記各ユニットの作動に必要とする電力を提供する、電源供給器と、を有する
ことを特徴とする、マルチカードデータアンロード装置。
【請求項２】
当該マイクロプロセッサーには、更に、USBインターフェースが接続される、
ことを特徴とする、請求項１記載のマルチカードデータアンロード装置。
【請求項３】
各当該マルチカードインターフェースがリードライト可能な当該メモリーカードは、SDカード(SD)、マルチメディアカード(MMC)、SMカード(SM)、MSカード(Memory Stick)、CFカード(CF)、PCMCIAメモリーカード、或いはXD Pictureメモリーカードからなる群の少なくとも１つである、
ことを特徴とする、請求項１記載のマルチカードデータアンロード装置。
【請求項４】
当該マイクロプロセッサーと、当該二つのマルチカードインターフェースとの間には、更に、二つのバッファメモリが接続される。
ことを特徴とする、請求項１記載のマルチカードデータアンロード装置。
【請求項５】
当該ボタンモジュールは、プログラム可能な者である、
ことを特徴とする、請求項１記載のマルチカードデータアンロード装置。
【請求項６】
当該ボタンモジュールには、
少なくとも一つのボタンと、
操作や使用状態を表示する表示装置と、がある、
ことを特徴とする、請求項１記載のマルチカードデータアンロード装置。
【請求項７】
当該表示装置は、複数の表示ランプである、
ことを特徴とする、請求項6記載のマルチカードデータアンロード装置。
【請求項８】
当該表示装置は、ディスプレイである、
ことを特徴とする、請求項6記載のマルチカードデータアンロード装置。
【請求項９】
当該表示装置は、発光ダイオード(LED)と液晶ディスプレイ(LCD)の１つである、
ことを特徴とする、請求項6記載のマルチカードデータアンロード装置。
【請求項１０】
当該マイクロプロセッサーには、更に、コンピューター接続インターフェースが接続され、それにより、コンピューターに接続され、当該コンピューターと両方向通信をし、当該コンピューターが、電源として、当該マルチカードデータアンロード装置にある各ユニットの作動に必要とする電力を提供する、
ことを特徴とする、請求項１記載のマルチカードデータアンロード装置。
【発明の詳細な説明】
【技術分野】
【０００１】
本発明は、データアンロード装置に関し、特に、独立的な操作で、直接に二つのメモリーカードにあるデータを、アンロードする、マルチカードデータアンロード装置に関する。
【背景技術】
【０００２】
情報産業の発展に伴って、例えば、ノート・パソコンや、携帯電話、パーソナル・デジタル・アシスタント(PDA)及びデジタルカメラ等の各種類の電子情報製品が、普及していて、日常生活において、ビデオマルチメディアやデータネットワーク伝送等の異なる分野に、応用されるため、例えば、SDカード(Secured Digital、SD)や、CFカード(Compact Flash、CF)、SMカード(Smart Media、SM)、MSカード(Memory Stick)或いはマルチメディアカード(Multimedia Card、MMC)等の小型メモリーカードは、各種類の製品に使われている。
今では、異なる電子製品に、異なる規格のメモリーカードが使われているだけでなく、同じ種類の電子製品にも、メーカが異なれば、異なるメモリーカードが使われる場合もあるため、同一の電子装置には、直接に多規格のメモリーカードのデータリードライトや伝送ができず、カード読取装置を介しないとデータの交換ができず、また、カード読取装置は、独自的に操作できず、コンピューターに接続された後、コンピューターを介して、カード読取装置により、データを交換するから、使用上には、非常に不便である。
【発明の開示】
【発明が解決しようとする課題】
【０００３】
本発明の主な目的は、各メモリーカードにあるデータを、直接に交換やバックアップできて、有効に、速く異なるメモリーカード間のデータを統合でき、従来の、異なるメモリーカード間のデータの統合が容易ではない不便利を解消する、マルチカードデータアンロード装置を提供する。
【０００４】
本発明の他の目的は、コンピューターを介しなく、独自的に異なるメモリーカード間のデータを交換できる、操作が簡単かつ容易である、マルチカードデータアンロード装置を提供する。
【０００５】
本発明の更に他の目的は、異なるメモリーカードとUSB記憶装置との間に、データが交換できる、適用範囲を拡大して、有効に、データ管理の便利性を向上する、USBインターフェースを有するマルチカードデータアンロード装置を提供する。
【０００６】
本発明の更に他の目的は、そのコンピューター接続インターフェースを介して、コンピューターと連結した後、カード読取装置として使われ、コンピューターやメモリーカードにあるデータの編集やバックアップができる、マルチカードデータアンロード装置を提供する。
【課題を解決するための手段】
【０００７】
本発明によれば、マルチカードデータアンロード装置には、二つのスロットがあり、それには、二つのマルチカードインターフェースが設けられ、二つのマルチカードインターフェースには、マイクロプロセッサーが接続され、当該二つのマルチカードインターフェースを介して、各種類のフォーマットであるメモリーカードに対して、リードライト命令を指示して、当該二つのマルチカードインターフェースを介して、二つのメモリーカードに対して、リードライトの動作を実行し、また、マイクロプロセッサーには、ユーザの操作インターフェースを提供する、ボタンモジュールが接続され、また、上記の各ユニットの作動に必要とする電力を提供する電源供給器がある。
【発明の効果】
【０００８】
本発明のマルチカードデータアンロード装置によれば、各メモリーカードにあるデータを、直接に交換やバックアップできて、有効に、速く異なるメモリーカード間のデータを統合でき、従来の、異なるメモリーカード間のデータの統合が容易ではない不便利を解消することができる。
【発明を実施するための最良の形態】
【０００９】
以下、図面を参照しながら、具体的な実施例を詳しく説明し、それにより、本発明の目的や技術内容、特徴及び達成できる効果は、より容易に理解できる。
【００１０】
図1は、本発明のマルチカードデータアンロード装置のハードウェア構造のブロック概念図であり、マルチカードデータアンロード装置10には、全体装置の作動流れを制御する、二つのマルチカードスロット14、14&#0;が電気的に接続される、 制御回路12と、USB接続ポート16と、ボタンモジュール18と、があり、二つのマルチカードスロット14、14&#0;により、二つのメモリーカードが挿接され、当該二つのメモリーカードは、異なる規格のメモリーカードであり、規格として、SDカード(Secured Digital、SD)や、マルチメディアカード(Multimedia Card、MMC)、SMカード(Smart Media、SM)、MSカード(Memory Stick)、CFカード(Compact Flash、CF)、PCMCIAメモリーカード或いはXD Pictureメモリーカード等が挙げられ、USB接続ポート16に、USB記憶装置が挿接されることにより、メモリーカードとUSB記憶装置とは、電気的に接続されて、データの交換ができ、ボタンモジュール18には、ユーザ操作インターフェースがあり、また、上記の各ユニットが作動することに必要とする電力を提供する電源供給器19がある。
【００１１】
制御回路12について、図2を参照しながら、制御回路12にある各ユニット間の作動を制御して処理し、二つのマルチカードインターフェース122、122&#0;に電気的に接続される、マイクロプロセッサー120と、操作インターフェース124と、USBインターフェース126とがあり、上記操作インターフェース124とUSBインターフェース126とは、二つのマルチカードインターフェース122、122&#0;を介して、それぞれ、当該二つのマルチカードスロット14、14&#0;に電気的に接続され、それぞれ、メモリーカードを電気的に接続することに用いられ、また、マイクロプロセッサー120が、各種類のフォーマットメモリーカードへ、発行するリードライト命令を受信して、当該メモリーカードに対して、リードライトの動作を行い、操作インターフェース124の接続により、マイクロプロセッサー120が、ボタンモジュール18に、電気的に接続され、また、当該操作インターフェース124が、プログラム可能なものであり、USBインターフェース126は、USB接続ポート16に電気的に接続され、USBのインターフェース伝送に用いられ、また、マイクロプロセッサー120と二つのマルチカードインターフェース122、122&#0;との間には、更に、二つのバッファメモリ128が設けられ、バッファメモリ128にあるデータは、ブロック(block)を単位として、転送されることにより、データ伝送の速度や安定性を増加する。
【００１２】
また、マイクロプロセッサー120には、コンピューター接続インターフェース(図に未表示)も接続することができ、上記のコンピューター接続インターフェースにより、コンピューターに接続されることにより、マルチカードデータアンロード装置10は、カード読取装置として使用でき、コンピューター或いはメモリーカードにあるデータの編集やバックアップを行い、また、マルチカードデータアンロード装置10は、そのコンピューター接続インターフェースを介して、コンピューターに接続された後、コンピューターは、電源として、マルチカードデータアンロード装置10にある各ユニットの作動に必要とする電力を提供する。
【００１３】
図3は、本発明の外観概念図であり、上記のマルチカードデータアンロード装置10において、ボタンモジュール18には、ボタン20と表示装置とがあり、ボタン20の押しにより、簡単なセットやオプション確認をすることができ、表示装置は、四つの表示ランプ22からなり、一般的に、発光ダイオード(LED)が用いられ、それぞれに、二つのスロット14、14&#0;にあるメモリーカードの操作及び使用状態を表示し、図4のように、この四つの表示ランプ22は、それぞれに、Aカード接続確認、操作エラー、メモリーカード容量不足及びBカード接続確認等の状態を示し、当該表示ランプ22の点灯や閃光により、マルチカードスロット14、14&#0;に挿入されている二つのメモリーカードA、Bの操作や使用状態が分かり、また、当該表示装置は、ディスプレイでもいいし、例えば、液晶ディスプレイ(LCD)である。
【００１４】
このマルチカードデータアンロード装置10を利用して、二つのメモリーカードのデータを交換する時、二つのメモリーカードA、Bを、それぞれに、使用するマルチカードスロット14、14&#0;に挿入すると、マルチカードインターフェース122、122&#0;は、接続インターフェースを、挿入したメモリーカードのインターフェース規格に切り替え、この時、図4のように、当該二つのメモリーカードA、Bと二つのスロット14、14&#0;とは、電気的に接続された後、Aカードランプ及びBカードランプが、即ちに点灯し、この時、ユーザは、ボタン20の簡単操作で、メモリーカードAにあるデータを、メモリーカードBにアンロードするか、メモリーカードBにあるデータを、メモリーカードAにアンロードするかにし、アンロードの過程では、エラー或いはメモリーカードの容量不足が発生すれば、操作エラーランプや、容量不足ランプが、即ちに点灯され、ユーザに通知する。
【００１５】
これにより、本発明が提供したマルチカードデータアンロード装置によれば、各メモリーカードのデータに対して、直接に交換やバックアップをすることができ、有効かつ早く、異なるメモリーカード間のデータを統合して、従来の異なるメモリーカード間のデータ統合が、容易ではない不便利性を解消し、又、本発明は、コンピューターを介せず、独自に異なるメモリーカード間のデータが交換できるから、操作が簡単的かつ容易である利点を有する者である。また、本発明は、異なるメモリーカードとUSB記憶装置との間のデータも、交換できるから、データ管理の便利性の向上から言えば、非常に有利なツールである。そのため、本発明は、単独的で使用される場合、有効的に、従来の多種類のメモリーカードに対してデータが管理し難い問題点を解消することだけでなく、更に、コンピューターと接続された後、カード読取装置として使用でき、便利性及び実用性のあるデータ管理ツールである。
【００１６】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００１７】
【図１】本発明のハードウェア構造ブロック概念図である。
【図２】本発明の制御回路的詳細構造ブロック概念図である。
【図３】本発明の外観概念図である。
【図４】本発明の表示ランプの代表状態概念図である。
【符号の説明】
【００１８】
10 マルチカードデータアンロード装置 12 制御回路
120 マイクロプロセッサー          122、122&#0; マルチカードインターフェース
124 操作インターフェース            126 USBインターフェース
128 バッファメモリ                  14、14&#0; マルチカードスロット
16 USB接続ポート                     18 ボタンモジュール     
19 電源供給器           20 ボタン
22 表示ランプ
【図１】
2005100329.tif 000003
【図２】
2005100329.tif 000004
【図３】
2005100329.tif 000005
【図４】
2005100329.tif 000006